(57)【特許請求の範囲】
【請求項１】
中空に保持可能なテーブル板に設けられた容器の保持装置において、
テーブル板に形成された貫通穴と、
この貫通穴と内部中空が連通するように貫通孔を囲んで取り付けられると共にテーブル板の下方に延びる有底の袋部と、
この袋部の底部に設けられ前記貫通穴に着脱自在に取付けられる着脱部とからなり、
該着脱部が半径方向に縮拡自在のバネリングからなっており、貫通孔の内周面に係脱しうることを特徴とする容器の保持装置。
【請求項２】
袋部がネットからなっていることを特徴とする請求項１に記載の容器の保持装置。
【請求項３】
中空に保持可能なテーブル板に設けられた容器の保持装置において、
テーブル板に形成された貫通穴と、
この貫通穴と内部中空が連通するように貫通孔を囲んで取り付けられると共にテーブル板の下方に延びる有底の袋部と、
この袋部の底部に設けられ前記貫通穴に着脱自在に取付けられる着脱部とからなり、
該着脱部が、リングと、該リングに突設された複数のバネフックからなっており、該バネフックが前記貫通穴の上面外側のテーブル板の縁に周方向複数箇所で掛かり止め自在になっていることを特徴とする容器の保持装置。
【発明の詳細な説明】
【０００１】
【発明の属する技術分野】
この発明は、座席の背面や椅子等に取り付けられたテーブル板に設けられたコップなどの容器の保持装置に係り、特に、テーブル板に貫通穴を形成すると共に、その貫通穴の下方に容器を受けるネットが設けられた容器の保持装置に関する。
【０００２】
【従来の技術】
容器の保持装置として、従来、図７に示すように、各種乗物の座席５６の背面５７に装着された小型のテーブル板５２に貫通穴５３を形成したものが知られている。この貫通穴５３にコップ等を差し込んで保持する。コップ等の周面は、一般に底から上端にかけて広かるようなテーパー状に形成されているので、貫通穴５３に差し込むだけで外周が貫通穴５３に緊密に嵌合して保持されるのである。  この従来の保持装置の貫通穴５３は、所定のコップ等の大きさに合わせて形成されている。そのため、コップ等の外周が所定の形状未満であると、貫通穴５３に深く入り過ぎて取り出しにくくなるおそれがあったり、貫通穴から抜け落ちてしまうおそれすらある。
また、缶などのように周面にテーパーがなく、直円筒状の容器の場合には、保持することができない。
【０００３】
そこで、テーブル板に平面円形の窪みを設ける構成も知られているが、容器を確実に保持できず、またテーブル板の重量が増える欠点がある。
【０００４】
【発明が解決しようとする課題】
この発明の主たる課題は、コップや缶等の大きさが小さくとも保持できると共にテーブル板の軽量化も図れる容器の保持装置を提供することにある。
【０００５】
【課題を解決するための手段】
この課題を解決するため、この発明の容器の保持装置は、テーブル板に形成された貫通穴と、貫通穴を囲んでテーブル板の裏面に取り付けられ且つテーブル板の下方に延びる有底の袋部と、袋部の底部に設けられ貫通穴に着脱自在に形成された着脱部とを備えてなっている。
この保持装置によると、テーブル板の貫通穴に差し込まれた容器を袋部が受け、貫通穴と袋部により容器を保持する。使用しないときには、着脱部を貫通穴の中に装着して収納する。
【０００６】
【発明の実施の形態】
以下に、この発明の容器の保持装置の好適実施例を図１〜図６を参照して説明する。
図１〜図３に、この発明の第１実施例の飲用容器の保持装置が示されている。  この保持装置１は、テーブル板２に形成された貫通穴３と、この貫通穴３を囲んでテーブル板２の裏面に取り付けられ且つテーブル板２の下方に延びる有底袋状に形成されたネット４と、このネット４の底部にネットと一体的に設けられ貫通穴３に着脱自在に形成された着脱部５とを備えてなっている。
【０００７】
ここで、テーブル板２は、この実施例では、各種乗物の座席６の背面７に装着された小型のものである。このテーブル板２は、ヒンジ８などにより座席６の背面７に仮想線で示すように収納可能となっていることが多い。
また、ネット４は、上端が開口し、袋状に形成されている。このネット４は、図３（ａ）に示すように、貫通穴３に差し込まれた容器９を受けることにより、容器９が抜け落ちることを防止するものである。
また、着脱部５は、この実施例では、図２に示すように、ネット４の底部の外周に沿って縫合や接着等で固着されたバネリングからなっている。
該バネリングは、貫通穴３より大径に設定されると共にスリット１０が一箇所入っており、径方向に縮拡自在に形成されている。このバネリングからなる着脱部５は、スリット１０が入っているので、手で力を加えるとバネ力に抗して半径方向に縮小し、力を緩めると反発力で半径方向に拡大・復元する。すなわち、この着脱部５を縮小状態にして貫通穴３の中に入れた後、拡大して貫通穴３の内周に対して付勢し圧接させることにより収納される。
【０００８】
上述のように構成された保持装置１は、次のように容器９を保持する。ここでは、容器９として、直円筒状で貫通穴３より径の小さい缶を例にとって述べるものとする。
テーブル板２を座席６の背面７から倒して略水平の使用状態にセットし（図１の実線で示す状態）、次いでバネリングからなる着脱部５を貫通穴３から取り外して、図３（ａ）で示すようにネット４を貫通穴３の下方に下げた状態とする。この状態の下で、貫通穴３から容器９を差し込むと、容器９はネット４により受けられる。すなわち、容器９は、貫通穴３により外周を保持され、底をネット４により保持される。
【０００９】
使用後、バネリングからなる着脱部５を手で持って力をかけ、半径方向に縮小させる。この縮小された着脱部５を貫通穴３の中に入れて手を離す。すると、図３（Ｂ）で示すように着脱部５が半径方向に拡大・復元し、貫通穴３の内周に対して付勢し圧接される。このとき、ネット４は、小さく畳まれて収納される。このように、この保持装置１は、使用していないときに収納できるので、邪魔になることがない。
なお、この保持装置１は、ネット４が設けられているので、缶や紙コッフなどの容器に限らず、お菓子その他の種々の物を収容できる。
【００１０】
第二の実施例
図４にこの発明の保持装置の他の実施例が示されている。この保持装置は、着脱部５としてネット４の下部に複数個のバネフックが設けられる。バネフックからなる着脱部５は、保持装置１を使用しないときに、図４（ｂ）に示すように貫通穴３の外周のテーブル板２の縁にバネ効果により掛かり止めて、保持装置１を収納するためのものである。バネフックからなる着脱部５は、ネット４に一体化されたリング１１の周方向複数箇所に設けられ、貫通穴３の外周のテーブル板２の縁に周方向複数箇所に掛かり止めるようになっている。
【００１１】
第三の実施例
図５にこの発明の保持装置１の他の実施例が示されている。この保持装置１は、ネット４の底が円板状の底板１２により構成され、この底板１２に着脱部５として複数個の掛かり止め用のバネフックが設けられている。ここで、ネット４は、上下開口した筒状に形成され、その下部開口を塞ぐように底板１２が取り付けられる。
また、バネフックからなる着脱部５は、保持装置１を使用しないときに、図５（ｂ）に示すように貫通穴３の外周のテーブル板２の縁にバネ効果により掛かり止めて、保持装置１を収納するためのものである（着脱部５をバネフックで構成する点は第二の実施例と同様である）。
【００１２】
この底板は、貫通穴３に嵌合自在の径に形成される。したがって、図５（ｂ）に示すように、バネフックからなる着脱部５を貫通穴３の外周のテーブル２の縁に掛かり止めたときに、底板１２は貫通穴３に嵌合された状態となる。また、底板１２は、テーブル板２の厚みより薄く形成される。したがって、底板１２が貫通穴３に嵌合された状態で、テーブル板２の貫通穴３の部分に円形状の凹部１３が形成される。この凹部１３は、容器その他の物を置く場所とされる。
なお、この第三の実施例では底板１２をテーブル板２より薄く形成したが、他に、底板１２をテーブル板２と同じ厚みとして、凹部を形成しないようにしたものもこの発明に属する。
【００１３】
第四の実施例
図６にこの発明の保持装置の更に他の実施例が示されている。
この保持装置６は、貫通穴３と着脱部５との両方に互いに嵌合可能なようにテーパー１４，１５が形成されている。貫通穴３のテーパー１４は、内周が下方にいくにしたがって広がるように形成される。一方、着脱部５のテーパー１５は、外周が貫通穴３のテーパー１４に嵌合可能なように形成されている。この実施例の着脱部５は、底板を兼用している。すなわち、保持装置１を使用しないときに、図６（ｂ）に示すように、底板からなる着脱部５をくさび効果により貫通穴３に緊密に嵌合して収納する。
底板からなる着脱部５をテーブル板２の厚みより薄くすれば、第三の実施例のように、着脱部５を貫通穴３に嵌合した状態でテーブル板２に物を置くための凹部１３を形成することができる。
【００１４】
上記実施例では袋部としてネットを用いた例を示したが、可撓性、柔軟性を有する紙製、プラスチックフィルム製、布製の袋を用いても良く、これらの袋には多数の孔を空けた構成、または孔を設けない構成など適宜に設計変更することができる。
その他この発明は、上述した第１ないし第４の実施例に限定されるものではなく、種々の変形例が実施可能であることは勿論である。
例えば、上述の実施例ではこの発明を乗り物の座席に設けたテーブル板に適用したものを挙げたが、これに限らず、椅子やベッドに取り付けられたテーブル板などその取付対象および用途を問わない。
【００１５】
【発明の効果】
以上説明したこの発明によると、テーブル板に貫通穴を設けると共にネット等の袋部で容器を受けるので軽量化を図ることができると共に次のような効果を奏する。
（１）請求項１の保持装置によると、テーブル板の貫通穴に差し込まれた容器をネットが受け、貫通穴とネットにより容器を保持する。したがって、コップの大きさが貫通穴より小さい場合にも保持できる。また、缶も保持できる。
また、使用しないときには、着脱部を貫通穴の中に装着すれば、収納することができる。したがって、使用しないときに邪魔となることがない。
（２）請求項２の保持装置によると、着脱部が略リング状の半径方向に縮拡自在のバネとして形成される。したがって、簡単に着脱できる。また、低コストにて着脱部を製作できる。
（３）請求項３の保持装置によると、着脱部が、貫通穴の外側のテーブル板の縁に掛かり止めるバッネフックとして形成される。したがって、簡単に着脱できる。また、低コストにて着脱部を製作できる。
（４）請求項４の保持装置によると、底板がテーブル板の厚みより薄く形成され、底板が貫通穴に嵌合された状態で、テーブル板の貫通穴の部分に円形状の凹部が形成される。したがって、保持装置収納状態にも、テーブル板に物を置くための凹部を形成できる。
（５）請求項５の保持装置によると、貫通穴と着脱部とに互いに嵌合可能なようにテーパーが形成され、保持装置を使用しないときに、着脱部をくさび効果により貫通穴に緊密に嵌合して収納できる。したがって、簡単に着脱できる。また、低コストにて着脱部を製作できる。
【図面の簡単な説明】
【図１】  この発明の乗物における容器の保持装置の第一の実施例を示す斜視図である。
【図２】  図１の保持装置の着脱部の斜視図である。
【図３】  図１の保持装置の作用状態を示す断面図であり、（ａ）は使用状態図、（ｂ）は収納状態図である。
【図４】  この発明の容器の保持装置の第二の実施例を示す図であり、（ａ）は使用状態を示す斜視図、（ｂ）は収納状態を示す断面図である。
【図５】  この発明の容器の保持装置の第三の実施例を示す図であり、（ａ）は使用状態を示す斜視図、（ｂ）は収納状態を示す断面図である。
【図６】  この発明の容器の保持装置の第四の実施例を示す図であり、（ａ）は使用状態を示す断面図、（ｂ）は収納状態を示す断面図である。
【図７】  従来の容器の保持装置を示す斜視図である。
【符号の説明】
１  容器の保持装置
２  テーブル板
３  貫通穴
４  ネット
５  着脱部
６  座席
７  座席の背面
８  ヒンジ
９  容器
１０  スリット
１２  底板
１３  凹部
１４  テーパー
１５  テーパー
【図１】
0003665401.tif 000002
【図２】
0003665401.tif 000003
【図３】
0003665401.tif 000004
【図４】
0003665401.tif 000005
【図５】
0003665401.tif 000006
【図６】
0003665401.tif 000007
【図７】
0003665401.tif 000008